(57)【特許請求の範囲】
【請求項１】
対向する一対の側壁を有するフレームと、
フレームの両方の側壁に固定して設けられ、互いに対向して延びる一対の固定シャフトと、
フレームの両方の側壁に可動に設けられ、互いに対向して延びる一対の可動シャフトと、
一方の側壁側に設けられ、一方の固定シャフトおよび一方の可動シャフトにより摺動自在に支持されるとともに電極部を有する一方の電極ホルダと、
他方の側壁側に設けられ、他方の固定シャフトおよび他方の可動シャフトにより摺動自在に支持されるとともに電極部を有する他方の電極ホルダと、
一方の電極ホルダと他方の電極ホルダを開閉駆動する開閉駆動手段と、
一方の電極ホルダとこれに対応する側壁との間に設けられ、一方の固定シャフトと一方の可動シャフトが貫通する一方のピッチ規制プレートと、
他方の電極ホルダとこれに対応する側壁との間に設けられ、他方の固定シャフトと他方の可動シャフトが貫通する他方のピッチ規制プレートと、を備えたことを特徴とする電気的特性測定装置。
【請求項２】
各ピッチ規制プレートの固定シャフトの嵌合孔と可動シャフトの嵌合孔との間の間隔は、対応する電極ホルダの固定シャフトの嵌合孔と可動シャフトの嵌合孔との間の間隔と同一となっていることを特徴とする請求項１記載の電気的特性測定装置。
【請求項３】
各可動シャフトは対応するピッチ規制プレートに対して回り止め手段を用いて回転方向に係止されていることを特徴とする請求項１または２のいずれかに記載の電気的特性測定装置。
【請求項４】
各固定シャフトは対応する側壁に固定手段により固定されることを特徴とする請求項１記載の電気的特性測定装置。
【請求項５】
各可動シャフトは対応する側壁に設けられた長穴内で可動自在となっていることを特徴とする請求項１記載の電気的特性測定装置。
【発明の詳細な説明】
【０００１】
【発明の属する技術分野】
本発明は電子部品等のワークの電気的特性を測定する電気的特性測定装置に係り、とりわけ電極部の調整を確実に行なうことができる電気的特性測定装置に関する。
【０００２】
【従来の技術】
従来より電気的特性測定装置として、図６乃至図８に示すように、対向する一対の側壁３ａ，３ａを有するフレーム３と、両方の側壁３ａ，３ａに設けられ互いに対向して延びる一対の固定シャフト８，８および一対の可動シャフト９，９と、両方の側壁３ａ，３ａに各々設けられた一対の電極ホルダ２，２とを備えたものが知られている。
【０００３】
一対の電極ホルダ２，２は、ソレノイド７と、カム５と、ローラ４によって構成された開閉駆動手段によって駆動され、各々対応する固定シャフト８と可動シャフト９により案内される。また一対の電極ホルダ２，２は、各々対向する電極部６，６を有し、一対の電極ホルダ２，２の開閉動作により各々の電極部６，６をワークＷに接触させてワークＷの電気的特性を測定している。
【０００４】
【発明が解決しようとする課題】
ところで、一対の電極ホルダ２，２の電極部６，６は、各々その突出高さをワークＷ毎に調整できるようになっている。また固定シャフト８は対応する側壁３ａに固定されているが、可動シャフト９は側壁３ａに対して移動自在となっており、固定ボルト１１を締め、可動シャフト９を側壁３ａに対して長穴１８内で移動させた後に固定ボルト１１を締め付けることにより電極ホルダ２の電極部６の位置を調整している。
【０００５】
しかしながら可動シャフト９を側壁３ａに対して移動させた場合、固定ボルト１１の締め付け時等に可動シャフト９が移動し、固定シャフト８と可動シャフト９との間の間隔（ピッチ）が変化し、電極ホルダ２が固定シャフト８と可動シャフト９によって案内される際、引掛りが生じて電極ホルダ２を確実に駆動することができないことがある。
【０００６】
本発明はこのような点を考慮してなされたものであり、可動シャフトを移動させて電極ホルダの電極部の位置を調整する場合に、固定シャフトと可動シャフトとの間の間隔を一定に保つことができる電気的特性測定装置を提供することを目的とする。
【０００７】
【課題を解決するための手段】
本発明は、対向する一対の側壁を有するフレームと、フレームの両方の側壁に固定して設けられ、互いに対向して延びる一対の固定シャフトと、フレームの両方の側壁に可動に設けられ、互いに対向して延びる一対の可動シャフトと、一方の側壁側に設けられ、一方の固定シャフトおよび一方の可動シャフトにより摺動自在に支持されるとともに電極部を有する一方の電極ホルダと、他方の側壁側に設けられ、他方の固定シャフトおよび他方の可動シャフトにより摺動自在に支持されるとともに電極部を有する他方の電極ホルダと、一方の電極ホルダと他方の電極ホルダを開閉駆動する開閉駆動手段と、一方の電極ホルダとこれに対応する側壁との間に設けられ、一方の固定シャフトと一方の可動シャフトが貫通する一方のピッチ規制プレートと、他方の電極ホルダとこれに対応する側壁との間に設けられ、他方の固定シャフトと他方の可動シャフトが貫通する他方のピッチ規制プレートと、を備えたことを特徴とする電気的特性測定装置である。
【０００８】
各ピッチ規制プレートの固定シャフトの嵌合孔と可動シャフトの嵌合孔との間の間隔は、対応する電極ホルダの固定シャフトの嵌合孔と可動シャフトの嵌合孔との間の間隔と同一となっていてもよい。
【０００９】
各可動シャフトは対応するピッチ規制プレートに対して回り止め手段を用いて回転方向に係止されていてもよい。
【００１０】
各固定シャフトは対応する側壁に固定手段により固定されていてもよい。
【００１１】
各可動シャフトは対応する側壁に設けられた長穴内で可動自在となっていてもよい。
【００１２】
【発明の実施の形態】
以下、図面を参照して本発明の実施の形態について説明する。図１乃至図４は本発明による電気的特性測定装置の一実施の形態を示す図である。
【００１３】
図１乃至図４に示すように、電気的特性測定装置２０は電子部品等のワークＷに対して電気的特性を測定するものであり、この電気的特性測定装置２０は対向する一対の側壁３ａ、３ａを有するフレーム３と、両方の側壁３ａ、３ａに設けられ、互いに対向して延びる一対の固定シャフト８、８および一対の可動シャフト９、９と、両方の側壁３ａ、３ｂに設けられた一対の電極ホルダ２、２とを備えている。
【００１４】
このうち、一対の電極ホルダ２、２は、各々その下端に電極部６、６を有し、一対の電極ホルダ２、２の電極部６、６内にワークＷを挟持してワークＷの電気的特性を測定するようになっている。
【００１５】
また一対の電極ホルダ２、２のうち、例えば図１の右側の電極ホルダ（一方の電極ホルダ）２は右側の側壁（一方の側壁）３ａに対応しており、図１の左側の電極ホルダ（他方の電極ホルダ）２は左側の側壁（他方の側壁）３ａに対応している。これらの電極ホルダ２、２は、いずれも対応する固定シャフト８および可動シャフトにより摺動自在に支持されている。
【００１６】
また各固定シャフト８は固定シャフト止めねじ１３により、フレーム３の側壁３ａに堅固に固定されている。また各可動シャフト９は、側壁３ａに設けられた長穴１８に沿って移動可能となっており、可動シャフト９の位置が定まった後、固定ボルト１１を締付けて可動シャフト９を側壁３ａに固定するようになっている（図２参照）。
【００１７】
また電極ホルダ２、２は、各々ガイドブッシュ１６、１７を有し、これらガイドブッシュ１６、１７内に固定シャフト８および可動シャフト９を貫通させることにより、固定シャフト８と可動シャフト９に沿って摺動するようになっている。
【００１８】
この場合、電極ホルダ２、２は、開閉駆動手段により図１に示す左右方向に移動して開閉するようになっている。
【００１９】
すなわち電極ホルダ２、２には、各々ローラ４が設けられ、各ローラ４、４間に両側に斜面を有するカム５が配置されている。このカム５は支持軸５ａを介して上方に連結されたソレノイド７により上下方向に移動するようになっている。また支持軸５ａはブッシュ５ｂ間を摺動するようになっている。さらに各側壁３ａには、電極ホルダ２、２をカム５側へ押付けるスプリング１０、１０が設けられている。
【００２０】
上記構成部材のうち、ローラ４、４と、カム５と、ソレノイド７と、スプリング１０、１０とにより電極ホルダ２、２の開閉駆動手段が構成され、ソレノイド７によりカム５が引上げられた場合、カム５およびローラ４を介して電極ホルダ２、２がスプリング１０、１０の力に抗して開となり、ソレノイド７による力に対する作動が停止すると、電極ホルダ２、２のスプリング１０、１０の力により閉じるようになっている。
【００２１】
また図１に示すように、右側の電極ホルダ（一方の電極ホルダ）２とこれに対応する側壁３ａとの間に、固定シャフト８および可動シャフト９が貫通するピッチ規制プレート２１が設けられ、左側の電極ホルダ（他方の電極ホルダ）２とこれに対応する側壁３ａとの間に、固定シャフト８および可動シャフト９が貫通するピッチ規制プレート２１が設けられている。
【００２２】
図３に示すように、これらピッチ規制プレート２１、２１は、その中央部にスプリング１０が挿入される挿入口２２を有している。またピッチ規制プレート２１、２１の両端側に、固定シャフト８が貫通する嵌合孔２３と、可動シャフト９が貫通する嵌合孔２４とが設けられている。このうち嵌合孔２４には、回り止めねじ１２が装着されるねじ穴２４ａが直交して設けられ、ねじ穴２４ａ内に回り止めねじ１２を装着し、この回り止めねじ１２を可動シャフト９の切欠部９ａに嵌合させることにより可動シャフト９がピッチ規制プレート２１に対して回動しないようになっている（図４参照）。
【００２３】
ところで、各ピッチ規制プレート２１の嵌合孔２３、２４は、電極ホルダ２のブッシュ（嵌合孔）１６、１７に正確に対応して設けられており、このためピッチ規制プレート２１の嵌合孔２３、２４間の間隔（ピッチ）は電極ホルダ２のブッシュ１６、１７間の間隔（ピッチ）と正確に一致している。
【００２４】
次にこのような構成からなる本実施の形態の作用について説明する。
【００２５】
まずソレノイド７による引上動作が解除されると、一対の電極ホルダ２、２がスプリング１０、１０の力により閉方向へ移動する。この間、一対の電極ホルダ２、２は、固定シャフト８と可動シャフト９に沿って内方へ移動する。
【００２６】
この場合、一対の電極ホルダ２、２の下端に設けられた電極部６、６がワークＷを挟持し、この電極部６、６によりワークＷに対する電気的特性が測定される。
【００２７】
ワークＷに対する電気的特性の測定が終了すると、ソレノイド７によりカム５が引上げられ、ローラ４を介して一対の電極ホルダ２、２が開方向へ移動する。
【００２８】
ワークＷの形状に合わせて、一対の電極ホルダ２、２に設けられた電極部６、６の位置を調整することがある。この場合は、電極部６、６の電極ホルダ２、２に対する突出高さを調整したり、可動シャフト９を長穴１８内で微小に移動させて電極部６、６の位置の調整を行なう。
【００２９】
可動シャフト９を長穴１８内で移動させる際、はじめに固定ボルト１１を緩めて可動シャフト９を長穴１８内で微小長さ移動させる。その後、固定ボルト１１を締付けて可動シャフト９を長穴１８内に固定する。
【００３０】
可動シャフト９を長穴１８内で移動させる際、固定シャフト８と可動シャフト９との間の間隔（ピッチ）はピッチ規制プレート２１により定まるため、可動シャフト９の移動中に固定シャフト８と可動シャフト９との間の間隔が変化することはない。このため可動シャフト９を固定ボルト１１により固定した場合に、固定シャフト８と可動シャフト９との間の間隔を一定に保つことができるので、一対の電極ホルダ２が固定シャフト８と可動シャフト９に沿って移動する場合、電極ホルダ２、２のブッシュ１６、１７内に固定シャフト８と可動シャフト９をスムースに通過させることができる。このため引掛りなく、電極ホルダ２、２の移動を行なうことができる。
【００３１】
なお、可動シャフト９を長穴１８内で移動させる際、固定ボルト１１をスパナで緩めたり締付けたりする必要があるが、可動シャフト９は回り止めねじ１２によりピッチ規制プレート２１に対して回動が係止されているので、固定ボルト１１を緩めたり締付ける際に可動シャフト９が連れ回りしたりスパナの偏力により位置ずれすることはない。
【００３２】
次に図５により本発明の他の実施の形態について説明する。
【００３３】
図５に示す実施の形態は、一対の電極ホルダ２、２の開閉駆動手段として、スプリング１０、ローラ４およびカム５を設ける代わりに、リンク機構２２を設けたものであり、他は図１乃至図４に示す実施の形態と略同一である。
【００３４】
図５において、図１乃至図４に示す実施の形態と同一部分には同一符号を付して詳細な説明は省略する。
【００３５】
図５において、ソレノイド７に一対のリンク２２ａを有するリンク機構２２が連結され、リンク機構２２の各リンク２２ａは対応する電極ホルダ２に連結されている。
【００３６】
ソレノイド７の上下動によりリンク機構２２を介して電極ホルダ２が開閉する。
【００３７】
なお、図１乃至図４を示す実施の形態および図５に示す実施の形態において、開閉駆動手段として、更にソレノイド７の代わりに油圧駆動機構を設けてもよい。
【００３８】
【発明の効果】
以上のように本発明によれば、一対の電極ホルダと、各々の電極ホルダに対応する側壁との間に固定シャフトと可動シャフトが貫通するピッチ規制プレートが配置されているので、可動シャフトを側壁に対して可動させた場合でも、固定シャフトと可動シャフトとの間の間隔をピッチ規制プレートにより一定に維持することができる。このため一対の電極ホルダを固定シャフトと可動シャフトに沿ってスムースに移動させることができる。
【図面の簡単な説明】
【図１】本発明による電気的特性測定装置を示す概略図
【図２】電気的特性測定装置の側面図
【図３】ピッチ規制プレートを示す図
【図４】可動シャフトを示す図
【図５】本発明による電気的特性測定装置の他の実施の形態を示す図
【図６】従来の電気的特性測定装置を示す図
【図７】図６に示す電気的特性測定装置の側面図
【図８】可動シャフトを示す図
【符号の説明】
２  電極ホルダ
３  フレーム
３ａ  側壁
４  ローラ
５  カム
６  電極部
７  ソレノイド
８  固定シャフト
９  可動シャフト
１０  スプリング
１１  固定ボルト
１２  回り止めねじ
１３  固定シャフト止めねじ
１６、１７  ガイドブッシュ
１８  長穴
２０  電気的特性測定装置
２１  ピッチ規制プレート
【図１】
0004024485.tif 000002
【図２】
0004024485.tif 000003
【図３】
0004024485.tif 000004
【図４】
0004024485.tif 000005
【図５】
0004024485.tif 000006
【図６】
0004024485.tif 000007
【図７】
0004024485.tif 000008
【図８】
0004024485.tif 000009